(57)【要約】【課題】本発明は、カメラプロファイルの作成を簡易に行うための技術を提供することを目的とする。【解決手段】本発明は、撮影部と、表示部と、色校正用表示パターン作成部と、カメラプロファイル作成部と、カメラプロファイル付加部を有する。表示部は、色校正用表示パターン作成部が作成する色校正用表示パターンを表示する。撮影部は、色校正用表示パターンを表示する表示部を撮影して撮影データを取得する。カメラプロファイル作成部は、撮影データと、表示プロファイルを用いてカメラプロファイルを作成する。カメラプロファイル付加部は、撮影データにカメラプロファイルを付加する。撮影データの再生を行う際に、撮影データとカメラプロファイルに基づいた表示を行う事を特徴とする撮像システムおよびプロファイル作成方法。【選択図】図１
2017092904.tif 000002
【特許請求の範囲】
【請求項１】
色校正用表示パターンを表示する表示部と、
前記表示部に表示された前記色校正用表示パターンを撮影することによって撮影データを取得する撮影部と、
前記撮影部に依存する色空間の値とデバイスに依存しない色空間の値との間の対応関係を定義するカメラプロファイルを作成するプロファイル作成部と、
を有し、
前記表示部に依存する色空間の値とデバイスに依存しない色空間の値との間の対応関係を定義する表示プロファイルが予め用意されており、
前記プロファイル作成部は、前記撮影データと、前記表示プロファイルとに基づいて前記カメラプロファイルを作成する
ことを特徴とする撮像システム。
【請求項２】
前記撮像システムはカメラ部とディスプレイを有し、
前記カメラ部は、撮影データに前記カメラプロファイルを付加するカメラプロファイル付加部と、前記撮影部とを有し、
前記ディスプレイは前記表示部を有する
ことを特徴とする請求項１に記載の撮像システム。
【請求項３】
前記カメラプロファイルと前記表示プロファイルは、変換マトリクスまたはルックアップテーブルである
ことを特徴とする請求項１または請求項２に記載の撮像システム。
【請求項４】
前記プロファイル作成部は、色校正用表示パターン撮影時と本撮影時の撮影条件に基づいて、前記カメラプロファイルを補正する
ことを特徴とする請求項１から請求項３の何れか１項に記載の撮像システム。
【請求項５】
前記撮影条件はシャッタスピードを含み、
前記プロファイル作成部は、前記色校正用表示パターン撮影時に保存されたシャッタスピードと、本撮影時に用いたシャッタスピードとに基づいて、前記カメラプロファイルを補正する
ことを特徴とする請求項４に記載の撮像システム。
【請求項６】
撮影部と表示部を用いるプロファイル作成方法であって、
色校正用表示パターンを前記表示部に表示する表示ステップと、
前記表示部に表示された前記色校正用表示パターンを前記撮影部で撮影することによって撮影データを取得する撮影ステップと、
前記撮影部に依存する色空間の値とデバイスに依存しない色空間の値との間の対応関係を定義するカメラプロファイルを作成するプロファイル作成ステップと、
を有し、
前記表示部に依存する色空間の値とデバイスに依存しない色空間の値との間の対応関係を定義する表示プロファイルが予め用意されており、
前記プロファイル作成ステップでは、前記撮影データと、前記表示プロファイルとに基づいて前記カメラプロファイルが作成される
ことを特徴とするプロファイル作成方法。
【請求項７】
前記カメラプロファイルと前記表示プロファイルは、変換マトリクスまたはルックアップテーブルである
ことを特徴とする請求項６に記載のプロファイル作成方法。
【請求項８】
前記プロファイル作成ステップでは、色校正用表示パターン撮影時と本撮影時の撮影条件に基づいて、前記カメラプロファイルが補正される
ことを特徴とする請求項６から請求項７の何れか１項に記載のプロファイル作成方法。
【請求項９】
前記撮影条件はシャッタスピードを含み、
前記プロファイル作成ステップでは、前記色校正用表示パターン撮影時に保存されたシャッタスピードと、本撮影時に用いたシャッタスピードとに基づいて、前記カメラプロファイルが補正される
ことを特徴とする請求項８に記載のプロファイル作成方法。
【請求項１０】
請求項６から請求項９の何れか１項に記載のプロファイル作成方法の各ステップをコンピュータに実行させることを特徴とするプログラム。
【発明の詳細な説明】
【技術分野】
【０００１】
本発明は、撮像システムおよびプロファイル作成方法に関する。
【背景技術】
【０００２】
近年、ネットショッピングなどの電子商取引が普及し、遠隔地で買い物が可能な環境が整いつつある。電子商取引では、販売元が自社のＷｅｂページにカメラなどで撮影した画像を掲載し、購買者は、その画像を自身のパソコンのディスプレイで確認して、購入の有無を決定している。ところが、実物と、自身のパソコンのディスプレイで確認した色が異なることがある。この原因は、カメラやディスプレイが持つ色空間が各デバイスに依存することに由来する。
【０００３】
そこで、ディスプレイに表示した基準画像をカメラで撮影することによって、カメラとディスプレイの間の色合わせを行う手法が提案されている。特許文献１では、ディスプレイに表示した基準画像をカメラで撮影し、元の基準画像データとカメラで得られた撮影画像データの差異に基づき、ディスプレイの色補正を行う手法の提案がなされている。また、特許文献２では、ディスプレイに表示した基準画像をカメラで撮影し、元の基準画像データとカメラで得られた撮影画像データの差異に基づき、ディスプレイに表示する画像データに適用する補正のパラメータを算出する手法の提案がなされている。
【先行技術文献】
【特許文献】
【０００４】
【特許文献１】特開２００８−６６８７１号公報
【特許文献２】特開２０１１−２５９０４７号公報
【発明の概要】
【発明が解決しようとする課題】
【０００５】
しかしながら、特許文献１および特許文献２の方法では、補正に使用したディスプレイとカメラとの間では色が合うが、他の任意のディスプレイ（例えば購買者のパソコンのディスプレイ）との間では必ずしも色が合わない課題がある。
【０００６】
任意のデバイスの間での色合わせを実現する手法として、デバイスプロファイル（以下単に「プロファイル」と呼ぶ）を用いたカラーマネジメントシステムが知られている。プロファイルとは、画像の入力や出力を行うデバイスの色特性を記述したデータであり、デバイスに依存する色空間（例えばＲＧＢ）とデバイスに依存しない色空間（例えばＸＹＺ、Ｌ＊ａ＊ｂ＊）の対応関係を定義するデータを含んでいる。例えば、カメラとディスプレイの色合わせを行う場合、まずカメラのプロファイルを用いてカメラで撮影した画像データのＲＧＢ値をＸＹＺ値などに変換し、その後ディスプレイのプロファイルを用いてＸＹＺ値をディスプレイ固有のＲＧＢ値に変換する。この変換後のＲＧＢ値をディスプレイに出力すれば、カメラで撮影した色が再現されることとなる。
したがって、画像の提供者がカメラのプロファイルを画像データとともに提供するようにすれば、プロファイルの用意されたディスプレイをもつ者であれば誰でも、色の合った画像を観察することが可能となる。
しかしながら、プロファイルの作成には測色計などの特別な機材が必要になるとともに、色再現に関する高度な専門知識が必要であるため、従来は、一般のユーザが自身のカメラのプロファイルを作成することは容易でなかった。
【０００７】
本発明は、上記実情に鑑みなされたものであって、カメラプロファイルの作成を簡易に
行うための技術を提供することを目的とする。
【課題を解決するための手段】
【０００８】
本発明の第一態様は、色校正用表示パターンを表示する表示部と、前記表示部に表示された前記色校正用表示パターンを撮影することによって撮影データを取得する撮影部と、前記撮影部に依存する色空間の値とデバイスに依存しない色空間の値との間の対応関係を定義するカメラプロファイルを作成するプロファイル作成部と、を有し、前記表示部に依存する色空間の値とデバイスに依存しない色空間の値との間の対応関係を定義する表示プロファイルが予め用意されており、前記プロファイル作成部は、前記撮影データと、前記表示プロファイルとに基づいて前記カメラプロファイルを作成することを特徴とする撮像システムを提供する。
【０００９】
本発明の第二態様は、撮影部と表示部を用いるプロファイル作成方法であって、色校正用表示パターンを前記表示部に表示する表示ステップと、前記表示部に表示された前記色校正用表示パターンを前記撮影部で撮影することによって撮影データを取得する撮影ステップと、前記撮影部に依存する色空間の値とデバイスに依存しない色空間の値との間の対応関係を定義するカメラプロファイルを作成するプロファイル作成ステップと、を有し、前記表示部に依存する色空間の値とデバイスに依存しない色空間の値との間の対応関係を定義する表示プロファイルが予め用意されており、前記プロファイル作成ステップでは、前記撮影データと、前記表示プロファイルとに基づいて前記カメラプロファイルが作成されることを特徴とするプロファイル作成方法を提供する。
【００１０】
本発明の第三態様は、本発明に係るプロファイル作成方法の各ステップをコンピュータに実行させることを特徴とするプログラムを提供する。
【発明の効果】
【００１１】
本発明によれば、カメラプロファイルの作成を簡易に行うことができる。
【図面の簡単な説明】
【００１２】
【図１】実施例１に係る撮像システムの構成の一例を示す図
【図２】実施例１に係る撮像システムの処理の一例を示す図
【図３】実施例１に係る撮像システムの式１〜３に具体的な値を適用した例を示す図
【図４】実施例２に係る撮像システムの構成の一例を示す図
【図５】実施例２に係る撮像システムの処理の一例を示す図
【発明を実施するための形態】
【００１３】
本発明は、カメラとディスプレイの色合わせ（カラーマネジメント）に用いられるカメラ用のプロファイルを作成する技術に関する。プロファイルとは前述のとおり、デバイスに依存する色空間（例えばＲＧＢ）とデバイスに依存しない色空間（例えばＸＹＺ、Ｌ＊ａ＊ｂ＊）の対応関係を定義するデータを含むものである。本明細書では説明の便宜上、カメラ用のプロファイルを「カメラプロファイル」と呼ぶ。また、カメラプロファイルの作成に利用するディスプレイ用のプロファイルを「表示プロファイル」、カメラで撮影した画像の表示（再生）に利用するディスプレイ（以下「再生ディスプレイ」と呼ぶ）用のプロファイルを「再生プロファイル」と呼ぶ。また、カメラプロファイル作成時の撮影と区別するために、被写体の撮影を目的とする通常の撮影のことを特に「本撮影」と呼び、本撮影によって取得した撮影データのことを「本撮影データ」と呼ぶ。
【００１４】
＜実施例１＞
（システム構成）
本発明の実施例１に係る撮像システムについて、図面を用いて具体的に説明する。図１
は、本発明の実施例１における、撮像システムと撮像システム外部の任意の再生ディスプレイの構成を示すブロック図である。撮像システムは、ディスプレイ１００とカメラ部１１０を有する。ディスプレイ１００とカメラ部１１０の間は有線または無線により接続されている。
【００１５】
ディスプレイ１００は、表示部１０１と、色校正用表示パターン作成部１０２と、カメラ制御部１０３と、カメラプロファイル作成部１０４と、表示プロファイル保存部１０５と、カメラプロファイル付加部１０６と、データ保存部１０７を有する。カメラ部１１０は、制御部１１１、撮影部１１２と、撮影データ保存部１１３を有する。
【００１６】
色校正用表示パターン作成部１０２は、色校正用表示パターンを作成する。ここで、色校正用表示パターンとは、後述するカメラ部１１０のカメラプロファイル９１０を作成するために、校正の基準として使用する複数の色の画像データのことである。本実施例では赤、青、緑の３色のパッチで構成されるＲＧＢ画像データを使用している。また、本実施例で計算に用いる色校正用表示パターン値とは、各色の画素値（ＲＧＢ値）のことである。
表示部１０１は、画像データを表示する。表示部１０１として、液晶表示装置、有機ＥＬ表示装置、ＣＲＴ、プラズマ表示装置など任意の方式の表示装置を採用することができる。
カメラ制御部１０３は、制御部１１１を介してカメラ部１１０の動作を制御する。
表示プロファイル保存部１０５は、ディスプレイ１００に固有の情報である表示プロファイル９２０を保存する。
カメラプロファイル作成部１０４は、表示プロファイル保存部１０５から取得する表示プロファイル９２０と、色校正用表示パターン値と、色校正用表示パターンを撮影した撮影データを用いてカメラプロファイル９１０を作成する。
カメラプロファイル付加部１０６は、カメラプロファイル作成部１０４が作成したカメラプロファイル９１０を本撮影データ９００に付加する部分である。
データ保存部１０７は、カメラプロファイル９１０を付加した本撮影データ９００を保存する。
【００１７】
再生ディスプレイ８００は、撮像システムの外部に存在する表示装置である。再生ディスプレイ８００は、液晶表示装置、有機ＥＬ表示装置、ＣＲＴ、プラズマ表示装置など任意の方式の表示装置を採用することができる。また、再生ディスプレイ８００は、再生プロファイル９３０を予め取得している。再生ディスプレイ８００と撮像システムの間は有線または無線により接続されている。
【００１８】
制御部１１１は、カメラ制御部１０３からの指示を受けて撮影部１１２を制御する。
撮影部１１２は、ＣＣＤイメージセンサやＣＭＯＳイメージセンサなどの撮像素子を備え、撮影を実行し、撮影データを取得する。
撮影データ保存部１１３は、撮影部１１２による撮影データを保存する。なお、図示しないが、本撮影の場合は、撮影部１１２が取得した本撮影データ９００が撮影データ保存部１１３に直接保存される。また、撮影データにカメラの機種や、撮影に関する日時や、撮影条件を付加しても良い。
【００１９】
色校正用表示パターン作成部１０２、カメラ制御部１０３、カメラプロファイル作成部１０４やカメラプロファイル付加部１０６や制御部１１１は、演算や制御を行う機能ブロックである。これら機能ブロックは補助記憶装置に格納されたプログラムをメモリにロードし、ＣＰＵが実行することにより実現される。本実施例では、撮像システムを構成するカメラ部１１０とディスプレイ１００がそれぞれＣＰＵとメモリ、補助記憶装置を有することを想定している。しかし、撮像システムはカメラ部１１０とディスプレイ１００に加
えて、ＣＰＵ、メモリ、補助記憶装置などを備える汎用コンピュータから構成されてもよい。また、各機能ブロックの配置も本実施例の形態に限定されない。例えば、機能ブロックをカメラ部１１０、ディスプレイ１００または汎用コンピュータの何れか１つまたは２つに集約して、撮像システムが有するＣＰＵなどの使用個数を削減することも可能である。
【００２０】
（動作フロー）
図２は、本発明における、実施例１のカメラプロファイル９１０を付加した撮影データ作成時の動作フローチャートである。
ステップＳ２０１において、表示部１０１は色校正用表示パターン作成部１０２が作成した色校正用表示パターンを表示する。色校正用表示パターンには校正の基準となる複数の色が用いられ、１色ずつ表示してもよいし、一度に複数色を表示してもよい。
ステップＳ２０２において、カメラ制御部１０３は、カメラ部１１０の制御部１１１に対して、撮影条件を設定する。撮影条件とは、カメラのシャッタスピードや絞りや感度等のことである。これら撮影条件の設定には、撮影データ保存部１１３に保存された撮影データの撮影条件を用いる。あるいは、予め決められた撮影条件を用いる。
ステップＳ２０３において、カメラ部１１０は、カメラ制御部１０３からの指示により撮影部１１２を用いて、表示部１０１が表示する色校正用表示パターンを撮影し、撮影データを取得する。
ステップＳ２０４において、カメラプロファイル作成部１０４は、撮影部１１２による撮影データを取り込む。
【００２１】
ステップＳ２０５において、カメラ制御部１０３は、カメラプロファイル作成部１０４がカメラプロファイル９１０を作成するために必要な撮影が終了したか判断を行う。終了していなければ（ステップＳ２０５：ＮＯ）、ステップＳ２０１へ戻り、次の表示を撮影する。必要な撮影が終了していれば（ステップＳ２０５：ＹＥＳ）、ステップＳ２０６へ進む。
【００２２】
ステップＳ２０６において、カメラプロファイル作成部１０４は、ステップＳ２０４で取得した撮影データと表示プロファイル９２０と色校正用表示パターン値（色校正用表示パターンの色空間上の値）に基づいて、カメラプロファイル９１０を作成する。
ステップＳ２０７において、カメラ部１１０は本撮影を行い、本撮影データを取得し、撮影データ保存部１１３に保存する。ディスプレイ１００のカメラプロファイル付加部１０６は、カメラ部１１０の撮影データ保存部１１３に保存されている本撮影データを取り込む。なお、本撮影データは静止画であってもよいし、動画像であってもよい。
【００２３】
ステップＳ２０８において、カメラプロファイル付加部１０６は、取り込まれた本撮影データにカメラプロファイル９１０を付加して、データ保存部１０７に保存する。色校正用表示パターン撮影時と本撮影時で撮影条件が異なる場合は、本撮影時の撮影条件によってカメラプロファイル９１０の補正を行ってもよい。例えば、シャッタスピードを用いて補正を行う場合を説明する。色校正用表示パターン撮影時と本撮影時でシャッタスピードが０．５秒と１秒のように２倍異なる場合、付加するカメラプロファイル９１０の値を１／２倍にすることにより、カメラ部１１０と外部出力デバイスとの間で明るさも一致させることできる。他の撮影条件も同様に係数を用いて補正が可能である。
【００２４】
なお、図２のフローチャートではカメラプロファイル９１０作成と本撮影を一連の流れで説明した。しかし、カメラプロファイル９１０を保存することにより、毎回カメラプロファイル９１０を作成せずに、撮影データ保存部１１３の本撮影データにカメラプロファイル９１０を付加することも可能である。
【００２５】
（カメラプロファイルの作成）
次に、マトリクス計算によるカメラプロファイル９１０の作成とプロファイルを用いた表示の変換例を示す。表示部１０１は、色校正用表示パターン作成部１０２が作成した色校正用表示パターン値（ＲＧＢ）を表示する。なお、色校正用表示パターン値（ＲＧＢ）とは、校正の基準となる複数の色から構成される色校正用表示パターンを、各色に対応するＲＧＢ値で表現したデータである。撮影部１１２が表示部１０１を撮影することによって、ＲＧＢ値であるカメラ値（Ｒ’Ｇ’Ｂ’）が得られたとする。
【００２６】
カメラプロファイル作成部１０４は、色校正用表示パターン値（ＲＧＢ）と表示プロファイル保存部１０５が保存する表示プロファイル９２０から色校正用表示パターンの３刺激値（ＲＧＢ（ＸＹＺ））を導き出す。ただし、色校正に使用する色校正用表示パターンが決まっている場合は、表示プロファイル９２０による計算を行う代わりに色校正用表示パターンの３刺激値（ＲＧＢ（ＸＹＺ））を予め用意しておくことも可能である。さらに、カメラプロファイル作成部１０４は、色校正用表示パターンの３刺激値（ＲＧＢ（ＸＹＺ））とカメラ値（Ｒ’Ｇ’Ｂ’）から、カメラプロファイル９１０を作成する。
【００２７】
本実施例では、色校正用表示パターンとして、赤、緑、青の３色を使用する。赤：（ＲＲ’、ＲＧ’、ＲＢ’）、緑：（ＧＲ’、ＧＧ’、ＧＢ’）、青：（ＢＲ’、ＢＧ’、ＢＢ’）は、各色を表示する表示部１０１を撮影した時の、ＲＧＢ色空間上の各カメラ値（Ｒ’Ｇ’Ｂ’）に対応する。例えば、赤：（ＲＲ’、ＲＧ’、ＲＢ’）は、色校正用表示パターンとして赤を表示する表示部１０１を撮影部１１２が撮影して取得されたＲＧＢ値である。また、赤：（ＲＸ、ＲＹ、ＲＺ）、緑：（ＧＸ、ＧＹ、ＧＺ）、青：（ＢＸ、ＢＹ、ＢＺ）は、各色校正用表示パターンの３刺激値（ＲＧＢ（ＸＹＺ））に対応する。ここで、カメラ値と色校正表示パターンの３刺激値はともに、３色の表示に対してそれぞれＲＧＢ値または３刺激値を得るので、３×３のマトリクスとして表現することができる。
【００２８】
式１は、変換マトリクスＡの算出式である。色校正用表示パターンの３刺激値のマトリクスとカメラ値の逆マトリクスから、変換マトリクスＡを算出することができる。
【数１】
2017092904.tif 000003
算出された変換マトリクスＡはカメラプロファイル９１０として本撮影データに付加される。
【００２９】
ここで、本撮影データを、再生ディスプレイで再生する場合について説明する。なお、再生ディスプレイには、再生プロファイル９３０である変換マトリクスＢが予め用意されているものとする。
本撮影データ（Ｒ’Ｇ’Ｂ’）は、本撮影を行って取得されたＲＧＢ色空間上の撮影データであり、式２に示すように変換マトリクスＡを作用させることにより本撮影３刺激値（ＸＹＺ）に変換することができる。
【数２】
2017092904.tif 000004
式３に示すように、変換マトリクスＢを用いて、式２で求めた本撮影３刺激値（ＸＹＺ
）からＲＧＢ空間上の再生値（ＲＧＢ）を算出することができる。
【数３】
2017092904.tif 000005
【００３０】
図３は上記式１〜式３に具体的な数字を当てはめた算出例である。ディスプレイ１００は、表示部１０１に色校正用表示パターンとして赤、緑、青の３色を表示させる（ステップＳ２０１）。表示部１０１が表示する各色のＲＧＢ値が、赤：（２５５，０，０）、緑：（０，２５５，０）、青：（０，０，２５５）であったとする。表示部１０１が３色を表示した時、各色に対応するＲＧＢ値を３×３のマトリクスで表現したものが、色校正用表示パターン値３０１である。
【００３１】
撮影部１１２が、赤、緑、青を表示する表示部１０１を撮影する（ステップＳ２０３）ことによって、各撮影データ、赤：（２５４，２０，３）、緑：（１０，２５５，１０）、青：（１０，２０，２５３）が取得されたとする（ステップＳ２０４）。各色の撮影データのＲＧＢ値を３×３のマトリクスで表現したものが、カメラ値３０３である。また、カメラ値３０３の逆マトリクスがＲ’Ｇ’Ｂ’−１３０４である。
また、色校正用表示パターン値３０１を、表示プロファイル保存部１０５に保存された表示プロファイル９２０を用いて３刺激値に変換したマトリクスが、表示パターン３刺激値３０２である。
【００３２】
カメラプロファイル作成部１０４は、表示パターン３刺激値３０２とＲ’Ｇ’Ｂ’−１３０４から、式１を用いてカメラプロファイル９１０である変換マトリクスＡを算出する（ステップＳ２０６）。
【００３３】
（プロファイルを用いた変換例）
上述の手順で求めた変換マトリクスＡ（カメラプロファイル９１０）を用いて、本撮影で取得した本撮影データを再生ディスプレイで再生する例を示す。なお、再生ディスプレイには、再生プロファイル９３０である変換マトリクスＢ３０８が予め用意されているものとする。
カメラ部１１０は撮影部１１２を用いて本撮影を行い、本撮影データ３０５を取得する（ステップＳ２０７）。本撮影データ３０５は、式２に示すように、変換マトリクスＡ（カメラプロファイル９１０）を作用させることによって本撮影３刺激値３０７に変換される。再生ディスプレイは、式３に示すように、本撮影３刺激値３０７に変換マトリクスＢ（再生プロファイル９３０）を作用させることによって再生値３０９を算出する。
【００３４】
実際には、本撮影データ３０５は画素ごとに値が異なるが、画素ごとの値を本撮影データ３０５として、式２、式３を用いれば同様に再生値３０９が算出できる。これにより、再生ディスプレイ上で、カメラで撮影した被写体と差異の少ない表示が可能となる。
通常、表示パターン３刺激値３０２と変換マトリクスＢ３０８は、ディスプレイにより異なり、カメラ値３０３はカメラにより異なる。しかしながら、変換マトリクスＡを付加した本撮影データと再生ディスプレイの変換マトリクスＢにより算出された再生値で表示すると、再生ディスプレイにおいて、カメラで撮影した被写体と差異の少ない表示が可能である。また、本実施例によれば、カメラとディスプレイからカメラプロファイルの作成を行うことができ、測色計などの特別な機器を用いることなく簡単にカメラプロファイルを作成することができる。
【００３５】
＜実施例２＞
（システム構成）
本発明の実施例２に係る撮像システムについて、図面を用いて具体的に説明する。図４は、本発明の実施例２における、撮像システムと撮像システムの外部にある再生ディスプレイの構成を示すブロック図である。撮像システムは、ディスプレイ４００とカメラ部４１０を有する。ディスプレイ４００とカメラ部４１０の間は有線または無線により接続されている。
【００３６】
ディスプレイ４００は、表示部１０１と、色校正用表示パターン作成部１０２と、カメラ制御部１０３と、表示プロファイル保存部１０５を有する。カメラ部４１０は、制御部１１１と、撮影部１１２と、カメラプロファイル作成部４０４と、カメラプロファイル付加部４０６と、撮影データ保存部４１３を有する。また、再生ディスプレイ８００は、撮像システムの外部に存在する表示装置である。なお、各構成要素の機能は実施例１と同一なので、説明は省略する。
【００３７】
本実施例は実施例１と比較して、カメラ部４１０がカメラプロファイル作成部４０４とカメラプロファイル付加部４０６と撮影データ保存部４１３を備える点に特徴がある。本実施例の構成によれば、一度カメラプロファイル９１０を作成すれば、カメラプロファイル９１０を保存することにより、その後はカメラ部４１０単独で本撮影データ９００にカメラプロファイル９１０を付加することができる。したがって、カメラプロファイル９１０を作成した後は、カメラ部４１０から再生ディスプレイ８００にカメラプロファイル９１０を付加した本撮影データ９００を送出することができる。
【００３８】
（動作フロー）
図５は、本発明の実施例２における、プロファイル付加した本撮影データ９００の作成時の動作フローチャートである。
ステップＳ２０１において、色校正用表示パターン作成部１０２は、表示部１０１に色校正用パターンを表示する。
ステップＳ２０２において、カメラ制御部１０３は、カメラ部４１０の制御部１１１に対して、撮影条件を設定する。これら撮影条件の設定には、撮影データ保存部１１３に保存された撮影データの撮影条件を用いる。あるいは、予め決められた撮影条件を用いる。
ステップＳ２０３において、カメラ制御部１０３からの指示によりカメラ部４１０は、撮影部１１２を用いて、表示部１０１が表示する色校正用表示パターンを撮影する。
ステップＳ２０４において、カメラプロファイル作成部４０４は、撮影部１１２による撮影データを取り込む。
【００３９】
ステップＳ２０５において、カメラ制御部１０３は、カメラプロファイル作成部４０４がカメラプロファイル９１０を作成するために必要な撮影が終了したか判断する。終了していなければ（ステップＳ２０５：ＮＯ）、ステップＳ２０１へ戻り、次の表示を撮影する。必要な撮影が終了していれば（ステップＳ２０５：ＹＥＳ）、ステップＳ５０６へ進む。
【００４０】
ステップＳ５０６において、カメラプロファイル作成部４０４は、ステップＳ２０４で取得した撮影データと表示プロファイル９２０と色校正用表示パターンに基づいて、カメラプロファイル９１０を作成する。
ステップＳ５０７において、カメラプロファイル付加部４０６は、撮影データ保存部４１３に保存された本撮影データ９００にカメラプロファイル９１０が付加されていないファイルの有無を確認する。全てが付加済みであれば（ステップＳ５０２：ＮＯ）、Ｅｎｄへ進み、付加されていない本撮影データ９００があれば（ステップＳ５０２：ＹＥＳ）、ステップＳ５０８へ進む。
【００４１】
ステップＳ５０８において、カメラプロファイル付加部４０６は、撮影データ保存部４１３に保存された本撮影データ９００に対し順次カメラプロファイル９１０を付加する。この時に、実施例１と同様に、色校正用表示パターン撮影時と本撮影時で撮影条件が異なる場合は、本撮影時の撮影条件でカメラプロファイル９１０の補正を行っても良い。
【００４２】
具体的なカメラプロファイル作成の変換式は、実施例１と同じである。以上説明したように、実施例１，２によれば、カメラプロファイル作成用ディスプレイの表示プロファイルを用いてカメラプロファイルを作成し、プロファイルを付加した撮影データを作成する。これにより、プロファイルが異なるディスプレイでもカメラで撮影した被写体と差異の少ない表示が実現できる。また、本実施例によれば、カメラとディスプレイからカメラプロファイルの作成を行うことができ、測色計などの特別な機器を用いることなく簡単にカメラプロファイルを作成することができる。
【００４３】
なお、実施例１，２では、マトリクス計算によるプロファイル作成方法について説明したが、変換マトリクスの代わりにルックアップテーブル（以下：ＬＵＴ）を用いても良い。また、マトリクス計算とＬＵＴを併用しても良い。
また、本実施例では、カメラプロファイル作成時のマトリクス計算に赤・緑・青の三色を用いて算出する方法を説明したが、他の色（例えば、シアン、マジェンタ、イエロー等）を用いても良い。また、他の色を追加して４色以上や二乗項を用いても良い。
【００４４】
（その他の実施例）  
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４５】
なお、実施例１、２はあくまで一例であり、本発明の要旨の範囲内で実施例１、２の構成を適宜変形したり変更したりすることにより得られる構成も、本発明に含まれる。実施例１、２の構成を適宜組み合わせて得られる構成も、本発明に含まれる。
【符号の説明】
【００４６】
１０１  表示部
１０４  カメラプロファイル作成部
１１２  撮影部
【図１】
2017092904.tif 000006
【図２】
2017092904.tif 000007
【図３】
2017092904.tif 000008
【図４】
2017092904.tif 000009
【図５】
2017092904.tif 000010